(57)【特許請求の範囲】
【請求項１】
電話ネットワークを介して所定のコールバック処理装置に対してコールバックを要求する機能を有する電話端末であって、
ユーザの入力する通話相手電話番号を受信し、記憶する通話相手電話番号受信記憶手段と
同じくユーザの入力する自電話端末へのコールバック要求操作を検知するコールバック要求操作検知手段と
前記コールバック処理装置への発信先電話番号と、関連する接続パスワードを記憶するコールバック処理装置・接続パスワード記憶手段とを有し、
前記コールバック要求操作検知手段により前記コールバック要求する操作が為されたことを検知した場合に、
前記コールバック処理装置・接続パスワード記憶手段を検索して、所定のコールバック処理装置に対応する発信電話番号と接続パスワードを読出し、該読出した発信電話番号へ発呼し、
前記コールバック処理装置につながったことを検知したならば、自電話端末のフック操作状態に係らず前記電話ネットワークとの接続を自動的に切断し、該コールバック処理装置からの着信を監視し、
所定の時間内に該コールバック処理装置からの着信が到来したならば、該着信に対して自動的に応答し、対応する前記接続パスワードと前記通話相手先電話番号を通知することを特徴とする自動コールバック応答機能を有する電話端末。
【請求項２】
請求項１に記載の電話端末であって、
前記コールバック処理装置へ発呼し、前記コールバック処理装置につながったことを検知したならば、前記電話ネットワークとの接続を自動的に切断し、所定の時間内に該コールバック処理装置からの着信が到来しなかった場合に、該コールバック処理装置からの着信を監視する状態を解除することを特徴とする自動コールバック応答機能を有する電話端末。
【請求項３】
請求項１または２に記載の電話端末であって、
前記コールバック処理装置へ発呼し、前記コールバック処理装置につながったことを検知したならば、前記電話ネットワークとの接続を自動的に切断し、該コールバック処理装置からの着信を監視している状態において、該コールバック処理装置以外からの着信を検出した場合、該着信を受け付けないもしくは該着信を拒否することを特徴とする自動コールバック応答機能を有する電話端末。
【発明の詳細な説明】
【技術分野】
【０００１】
本発明は、安価な通話料金の回線で通話を行ったり、相手先で通話料金を負担して通話を行う際に利用するコールバック型発信に用いる電話端末において、コールバック型発信の起動から通話に至るまでの操作を簡略化することを可能とした電話端末に関するものである。
【背景技術】
【０００２】
従来のコールバック型発信操作では、
まず発信者(発信電話端末)からコールバック処理装置に着信させた後、発信者は規定時間以内に受話器を下ろして着信を一旦終了させると、該コールバック処理装置は発信者にコールバック着信をかける。
次に、発信者はコールバック着信に応答した後、暗証番号や相手先の電話番号を入力することにより、
コールバック処理装置は、指定された相手先に発信し、相手先応答後、発信者と相手先とを通話状態としている（特許文献１）。
【特許文献１】特開平１１−８８５０４号公報
【発明の開示】
【発明が解決しようとする課題】
【０００３】
しかし、従来のコールバック型発信を行う電話端末では、
コールバック処理装置にコールバック処理の起動を要求するために、コールバック処理装置あてに発信操作を行った後、一旦受話器を下ろし終話し、その後コールバック処理装置からの着信を発信者が認知して受話器を上げて応答し、応答後に必要な発信指示情報をボタン操作で入力する等煩雑な操作を必要とし、その結果、相手先を呼出すまでに時間もかかるといった不都合があった。
【課題を解決するための手段】
【０００４】
掛る問題に鑑み、本発明では、電話ネットワークを介してコールバック処理装置に対してコールバックを要求する機能を有する電話端末であって、前記コールバック処理装置へ自電話端末へのコールバックを要求する操作と通話したい相手電話番号を指定する操作であるを検知するコールバック要求操作検知手段を有し、前記コールバック要求操作検知手段により所定の相手とのコールバック通話を要求する操作が為されたことを検知した場合に、前記コールバック処理装置へ発呼し、前記コールバック処理装置につながったことを確認した後に、自電話端末のフック操作状態に係らず前記電話ネットワークとの接続を自動的に切断し、該コールバック処理装置からの着信を監視し、所定の時間内に該コールバック処理装置からの着信が到来したならば、該着信に対して自動的に応答することを特徴とする自動コールバック応答機能を有する電話端末を提供する。
【発明の効果】
【０００５】
従来のコールバック型発信を行う電話端末では、最初コールバック処理装置宛に発信操作行った後に、一旦受話器を下ろし終話し、呼び返し着信に応答し、応答後に必要な情報のボタン操作をするという煩雑な操作が必要であったが、本発明により該煩雑な操作不要となり、その結果、接続したい相手先を呼出すまでの全体的な所要時間をも短縮するという効果がある。
【発明を実施するための最良の形態】
【０００６】
以下、本発明の実施例を、図面を用いて説明する。
図１は、本発明による自動コールバック応答機能を有する電話端末のブロック構成を示す図である。
本発明による自動コールバック応答機能を有する電話端末１は、電話網２を介してコールバック処理装置３に接続され、コールバック処理装置３は、電話端末１からの指示に従い、電話網４を介して相手先端末５を呼出し、電話端末１と相手先端末５との間で通話状態が形成される。
【０００７】
電話端末１は、オフフック操作による発信起動をフックスイッチ検出部１１１で検出し、ダイヤル等入力検出部１１２においてコールバック発信の要求と接続先の電話番号を受信する。次に、コールバック発信検出部１１３は、ダイヤル等入力検出部１１２に入力されたダイヤル情報を分析し、コールバック発信であることを検出すると、制御部１２０にコールバック発信であることを通知し、通知を受けた制御部１２０は、入力されたダイヤル情報の内、接続先の相手先端末５の電話番号に該当する情報を接続先記憶レジスタ１２１に記憶する。
【０００８】
次に制御部１２０は、発信指示部１０２より回線インタフェース部１０１を介してコールバック処理装置呼出番号記憶部１２２に記録された電話番号のコールバック処理装置３に対して発信する。電話網２はコールバック処理装置３への着信接続を行うが、このとき、電話網２よりコールバック処理装置３に対して、本電話端末１の電話番号が発番情報として通知される。
【０００９】
次に、コールバック処理装置３につながったことを示す呼出中信号を、呼出検出部１０３が回線インタフェース部１０１を介して検出すると、切断指示部１０４よりコールバック処理装置３への発信を中止（切断）する。また、本電話端末１がコールバック処理装置３につながったことを検出するために呼出信号を検出しているが、電話網２からの呼出音で検出してもよい。
【００１０】
次に、コールバック処理装置３は、電話網２を介して、本電話端末１に呼び返し着信をかける。尚、ここで本電話機１に対しては、コールバック処理装置３の電話番号が発番情報として通知されることとする。
次に、本電話端末１では、回線インタフェース部１０１を介して接続された着信検出部１０５によって着信を検出し、電話網２より通知される発番情報を着信元判定部１０６において判定し、コールバック処理装置３からの着信であることを認識すると、制御部１２０に通知し、制御部１２０は応答指示部１０７より回線インタフェース部１０１を介してコールバック処理装置３からの着信に自動応答する。
【００１１】
次に制御部１２０は、パスワード記憶部１２４に記憶された接続のためのパスワードを、接続要求送信部１０９より通話路スイッチ１１８を介してＤＴＭＦ(Ｄｉａｌ  Ｔｏｎｅ  Ｍｕｌｔｉ  Ｆｒｅｑｕｅｎｃｙ)信号でコールバック処理装置３に送信する。
次に制御部１２０は、接続先記憶レジスタ１２１に記憶した接続先の電話番号情報を、接続要求送信部１０９より通話路スイッチ１１８を介してＤＴＭＦ信号でコールバック処理装置３に送信した後、通話路スイッチ１１８を介して電話網２の通話路を送受話器１１６に接続する。
【００１２】
コールバック処理装置３は、電話端末１から受信した前記パスワードの認証を行い、正規のパスワードと認証した場合、続いて受信した前記接続先の電話番号情報に基づき、電話網４を介して相手先端末５に発信し、電話網４の通話路と電話網２の通話路とを接続する。
相手先端末５が応答すると本電話端末１と相手先端末５との間で通話状態が形成される。
【００１３】
図２は、本発明の電話端末１における制御部の動作フローを示す。
待機状態(Ｓ１０００)において、着信検出部１０５にて着信を検出せず(Ｓ１００１，Ｎ)、本電話端末１のフックスイッチ検出部１１１においてオフフックを検出すると(Ｓ１００２，Ｙ)、ダイヤル等入力検出部１１２で入力されたダイヤルを受信する(Ｓ１００３)。
【００１４】
次に、ダイヤルの入力が終了した際(Ｓ１００４，Ｙ)、コールバック発信検出部１１３においてコールバック型発信が要求されたか否かを判定し(Ｓ１００６)、コールバック発信が要求されたことを検出すると(Ｓ１００６，Ｙ)、制御部１２０に通知し、制御部１２０は入力されたダイヤル情報の内、接続先を指定するダイヤル情報を抽出して接続先記憶レジスタ１２１に記憶した後(Ｓ１０１１)、コールバック処理装置呼出番号記憶部１２２に記憶されたコールバック処理装置３の電話番号宛に発信するよう発信指示部１０２に指示する(Ｓ１０１２)。
【００１５】
電話網２は電話端末１の指示により、コールバック処理装置３への着信接続を行うが、このとき電話網２により、コールバック処理装置３に対して、本電話端末１の電話番号を発信者情報として通知する。
【００１６】
なおコールバック処理装置３の呼出番号記憶部１２２に複数のコールバック処理装置３の呼出番号が記憶されていた場合は、入力された接続したい相手先の電話番号を解析して、対応するコールバック処理装置３を選択し、その宛先に発信するようにすることができる。
また、コールバック型発信要求の特番を複数（例えば、９９９，９９８，９９７、…等）設けて、特番毎に対応するコールバック処理装置をあらかじめ決めて置き、複数あるコールバック処理装置の中から対応する一のコールバック処理装置を選択して、その宛先に発信するようにしてもよい。
【００１７】
次に、呼出検出部１０３によってコールバック処理装置３につながったことを示す呼出中信号（または呼出信号）を検出すると(Ｓ１０１３，Ｙ)、切断指示部１０４に対してコールバック処理装置３への発信中止(切断)を指示した後(Ｓ１０１４)、トーン送出部１１５より受話器１１６に対して処理中音を送出し(Ｓ１０２１)、コールバック処理装置３からの着信の到来を監視するタイマを起動する(Ｓ１０２２)。
【００１８】
次に、監視タイマが満了する前に(Ｓ１０２３，Ｎ)、着信検出部１０５によって着信を検出すると(Ｓ１０２４、Ｙ)、着信元判定部１０６は、電話網２より通知される発信者情報を解析し、該着信がコールバック処理装置３からの着信であるか否かを判定する(Ｓ１０２５)。
【００１９】
コールバック処理装置３からの着信であると判断した場合(Ｓ１０２５，Ｙ)、応答指示部１０７に対して該着信への応答を指示した後(Ｓ１０３１)、コールバック処理装置３に対して、パスワード記憶部１２４に記憶されたパスワードを、接続要求送信部１０９を介してＤＴＭＦ信号で送信する(Ｓ１０３２)。
このときコールバック処理装置呼出番号記憶部１２２に複数のコードバック処理装置の呼出番号が記憶されている場合は、前記着信に係るコールバック処理装置３に対応するパスワードを選択して送信する。
【００２０】
次に、同様に接続先記憶レジスタ１２１に記憶された相手先の電話番号を、接続要求送信部１０９を介してＤＴＭＦ信号で送信する(Ｓ１０３３)。次に、通話路スイッチ１１８対して電話網２と送受話器１１６の通話路を接続するよう指示する(Ｓ１０３４)。
【００２１】
コールバック処理装置３は、電話端末１から受信した前記パスワードの認証を行い、正規のパスワードと判定した場合、続いて受信した前記接続先の電話番号情報に基づき、電話網４を介して相手先端末５に発信し、電話網４の通話路と電話網２の通話路とを接続する。相手先端末５が応答すると本電話端末１と相手先端末５との間で通話状態が形成される。
【００２２】
次に相手先との通話が終了し、本電話装置１のフックスイッチ検出部１１１がオンフック操作を
検出すると(Ｓ１０５１)、切断指示部１０４に対して呼の切断を指示した後(Ｓ１０５２)、通話路スイッチ１１８に対して通話路の解放を指示して(Ｓ１０５３)、待機状態(Ｓ１０００)に戻る。
【００２３】
また着信監視タイマが満了（Ｓ１０２３，Ｙ）した場合、すなわちコールバック処理装置３からの呼び返し着信が規定時間内に到来しないと判断した場合、トーン送出部１１５より受話器１１６に対して話中音を送出し(Ｓ１０６１)、フックスイッチ検出部１１１においてオンフックを検出すると(Ｓ１０６２)、トーン送出部１１５は話中音を停止し(Ｓ１０６３)、待機状態(Ｓ１０００)に戻る。
【００２４】
またタイマ満了前に着信を検出し、着信元判定部１０６が該着信がコールバック処理装置３からの着信でないと判定した場合は(Ｓ１０２５，Ｎ)、該着信を拒否し(Ｓ１０２６)、再度ステップ１０２３からの着信待ち状態を継続する。
【００２５】
このときの着信拒否方法として、ＩＳＤＮ回線であれば理由種別コード＝＃２１としたＲＥＬＣＯＭＰメッセージの送信、ＩＰ電話回線であれば４８８（Ｎｏｔ  Ａｃｃｅｐｔａｂｌｅ  Ｈｅｒｅ）レスポンスを返送する。またアナログ回線の場合は、着信を拒否する手段がないため、着信を無視する。
【００２６】
また最初のダイヤル操作時に、コールバック発信検出部１１３がコールバック型発信でないと判定した場合(Ｓ１００５，Ｎ)、発信指示部１０２に対して通常の発信としてダイヤルで指定された相手先に発信を指示した後(Ｓ１００６)、通話路スイッチ１１８に対して電話網２と送受話器１１６との通話路を接続するよう指示する(Ｓ１００７)。
【００２７】
また待機状態（Ｓ１０００）より直接、着信検出部１０５が着信を検出した場合(Ｓ１００１，Ｙ)、通常の着信と認識して、着信表示部１１４に対して着信を表示した後(Ｓ１０４１)、フックスイッチ検出部１１１においてオフフックを検出すると(Ｓ１０４２，Ｙ)、応答指示部１０７に対して該着信に対する応答を指示し(Ｓ１０４３)、通話路スイッチ１１８に対して電話網２と送受話器１１６との通話路を接続するよう指示する(Ｓ１０４４)。
【００２８】
図３は、本発明の電話端末におけるコールバック型発信の操作シーケンスを示す図で、
電話端末１において発信起動(オフフック)を検出（Ｓ１００２）し、ダイヤル受信し（Ｓ１００３)、ダイヤル内容がコールバック型発信を要求するものであると、コールバック処理装置３に対して発信する(Ｓ１０１２)。
【００２９】
電話端末１において、コールバック処理装置３につながったことを示す呼出中信号を検出すると(Ｓ１０１３)、自動的に発信を中止(切断)する(Ｓ１０１４)。
このときの呼出信号の検出方法は、アナログ回線では、トーン検出回路を設けて電話網２より送出される呼出音（Ｒｉｎｇ  Ｂａｃｋ  Ｔｏｎｅ）を検出し、ＩＳＤＮ回線であればＡＬＥＲＴメッセージの受信、ＩＰ回線であれば１８０または１８３（Ｒｉｎｇｉｎｇ）レスポンスを受信したことによって判断する。
【００３０】
次にコールバック処理装置３は、電話端末１に対して呼び返しの着信を与え(Ｓ１０２４)、本発明による電話装置１がコールバック装置３からの着信を検出すると自動的に応答した後(Ｓ１０３１)、パスワード記憶部１２４に記憶されたパスワード（Ｓ１０３２）と接続先記憶レジスタに記憶された相手先番号（Ｓ１０３３)とを接続要求送信部１０９を介してＤＴＭＦ信号でコールバック処理装置３に自動的に送信する。
【００３１】
これを受信したコールバック処理装置３は、要求された相手先番号に発信し(Ｓ３００１)、相手先端末５と電話端末１の通話路を接続する(Ｓ３００３)。電話端末１には、通話路を介して相手先端末５を呼出している呼出音が聞こえる(Ｓ３００４)。相手先端末５が応答すると(Ｓ３００５)、電話端末１と相手先端末５とが通話状態となる(Ｓ３００６)。
【００３２】
すなわち本発明による電話装置１では、コールバック型発信を要求から目的の相手と通話状態に至るまで、従来のコールバック発信で必要であったオフフック／オンフック／オフフックの煩雑な操作を行うことなく、最初のオフフック状態のままでコールバック接続が設定される。また接続に必要なパスワードや相手先番号も、自動的に送信されるため、コールバック型発信の接続時間の短縮を実現することができる。
【００３３】
図４は、本発明による電話端末１においてコールバック型発信と通常の直接発信を指定するダイヤルの入力例を示す。「９９９」からなるコールバック発信指定特番が相手先電話番号の前に付加されている場合、コールバック型発信が要求されることを示し、該特番が付加されていない場合は通常の発信をすることを示している。
【００３４】
すなわちコールバック発信検出部１１３は、入力されたダイヤルの先頭に前記の特番(９９９)が付加されているか否かを検出し、該特番値が付加された場合は、コールバック型発信の要求であると判定し、図５に示すコールバック処理装置呼出番号記憶部１２２の内容に示された宛先電話番号に対して自動的に発信する。。
【００３５】
また特番（例えば９９９）が付加されていなくても、コールバック処理装置呼出番号記憶部１２２の内容と入力されたダイヤル情報の一部（例えば国コード）を比較し、一致する(コールバック処理装置３と同一の国コードが付加されていた)場合にも、コールバック型発信として判断することも有効である。
【００３６】
図５は、本発明による電話端末１が、コールバック型発信によって接続したい相手先を示す接続先記憶レジスタ１２１と、コールバック処理装置３に対して自動的に発信するための電話番号を記憶したコールバック処理装置呼出番号記憶部１２２と、コールバック処理装置３に対して送信するパスワードを記憶したパスワード記憶部１２４の内容例を示した図である。
尚、接続先記憶レジスタ１２１には、図４で示した特番情報を除いたダイヤル情報が記憶される。
【００３７】
図６は、従来の電話端末におけるコールバック型発信の操作シーケンスを示す。
発信起動(オフフック)を検出し（Ｓ１９０１）、コールバック処理装置の電話番号をダイヤルを受信すると(Ｓ１９０２)、コールバック処理装置３に対して発信する(Ｓ１９０３)。
コールバック処理装置３につながったことを示す呼出音(Ｓ１９０５)を聴取した後、一旦オンフックし発信を中止(切断)する(Ｓ１９０７、Ｓ１９０８)。
【００３８】
次にコールバック処理装置３は、電話端末１に対して呼び返しの着信を与え(Ｓ１９１０)、電話端末１は着信の到来を確認した後、オフフック操作を行い該着信に手動応答する(Ｓ１９１１、Ｓ１９１２)。
次に、ダイヤルボタンを押下して、パスワードと接続を要求する相手先番号をＤＴＭＦ信号でコールバック処理装置３に通知する(Ｓ１９１３、Ｓ１９１４、Ｓ１９１５、Ｓ１９１６)。
【００３９】
これを受信したコールバック処理装置３は、要求された相手先番号に発信し(Ｓ３００１)、相手先端末５と電話端末１の通話路を接続する(Ｓ３００３)。
電話端末１には、通話路を介して相手先端末５を呼出している呼出音が聞こえ(Ｓ３００４)、相手先端末５が応答すると(Ｓ３００５)、電話端末１と相手先端末５とが通話状態となる(Ｓ３００６)。
【００４０】
すなわち従来の電話端末では、使用者(発信者)が発信起動（オフフック）しコールバック処理装置３への着信し、直ちにオンフックし発信を中止（切断）し、さらにコールバック処理装置３からの呼び返し着信を認識して、再度オフフック(応答)操作を行い、かつコールバック処理装置３に対して、パスワードや相手先番号を逐次入力する必要があるなど、コールバック型発信を行うに際して、多大な手間がかかっていた。
【図面の簡単な説明】
【００４１】
【図１】本発明による自動コールバック応答機能を有する電話端末のブロック構成図
【図２】本発明の電話端末における制御部の動作フロー
【図３】本発明の電話端末におけるコールバック型発信操作シーケンス図
【図４】本発明の電話端末におけるダイヤル入力例
【図５】本発明の電話端末における各接続情報記憶部の内容例
【図６】従来の電話端末におけるコールバック型発信操作シーケンス図
【符号の説明】
【００４２】
１；本発明による電話端末
２；電話網
３；コールバック処理電話装置
４；電話網
５；相手先端末
１０１；回線インタフェース部
１０２；発信指示部
１０３；呼出検出部
１０４；切断指示部
１０５；着信検出部
１０６；着信元判定部
１０７；応答指示部
１０９；接続要求送信部
１１１；フックスイッチ検出部
１１２；ダイヤル等入力検出部
１１３；コールバック発信検出部
１１４；着信表示部
１１５；トーン送出部
１１６；送受話器
１１８；通話路スイッチ
１２０；制御部
１２１；接続先記憶レジスタ
１２２；コールバック処理装置呼出番号記憶部
１２４；パスワード記憶部
【図１】
0005604689.tif 000002
【図２】
0005604689.tif 000003
【図３】
0005604689.tif 000004
【図４】
0005604689.tif 000005
【図５】
0005604689.tif 000006
【図６】
0005604689.tif 000007